(57)【特許請求の範囲】
【請求項１】
スイッチ回路をＯＮ／ＯＦＦ操作するために左右方向を軸として押込操作されるスイッチボタンを、電子機器のケース前面に取り付けるためのスイッチボタン取付構造であって、
前記スイッチボタンに、押込操作するための押圧部と、前記押圧部の上下左右面に沿って周設されたフランジ部と、前記フランジ部の上面よりも上方へ突出した位置から夫々左右外方向へ突出した軸部とを設ける一方、
前記ケースに、前記押圧部を収容可能な開口部からなるスイッチボタン収容部を設けるとともに、前記スイッチ収容部の左右両側縁上部に、前記軸部を軸支する軸支部と、前記ケース前面で前記軸支部よりも上方となる位置に開口し、前記軸支部へ連通するＬ字状のスリットとを設け、
前記ケース前面に対して起立した姿勢にある前記スイッチボタンの前記軸部を、前記ケースの前面側から前記スリットへ挿入し、前記スリットに沿って下方へスライドさせて前記軸支部に軸支させた後、前記スイッチボタンを押込操作方向へ回動させて、前記スイッチボタンを前記スイッチボタン収容部に収容することで、前記スイッチボタンを前記ケースに取り付け可能とするとともに、
前記スイッチボタン収容部の上縁部から下方へ一体的に突設され、収容状態にある前記スイッチボタンの前記フランジ部の後面が当接する支持リブと、前記支持リブの前面に一体的に突設され、収容状態にある前記スイッチボタンの上面に当接して、前記軸部の前記軸支部からの上方への移動を阻止する阻止リブと、前記支持リブから更に下方へ一体的に突設され、押込操作された前記スイッチボタンを反押込操作方向へ押圧する押し上げリブとを設けたことを特徴とするスイッチボタン取付構造。
【発明の詳細な説明】
【技術分野】
【０００１】
本発明は、スイッチ回路をＯＮ／ＯＦＦ操作すべく電気機器のケースに押込操作可能に取り付けられるスイッチボタンの取付構造に関するものである。
【背景技術】
【０００２】
従来、インターホン親機等といった電気機器のケースにスイッチボタンを押込操作可能に取り付けるためのスイッチボタン取付構造としては、ケースの内面側にスイッチボタンを回動可能に取り付ける取付構造が周知となっている。つまり、たとえば特許文献１や特許文献２に開示されているように、ケースに開口を開設するとともに開口周縁のケース内面側に軸支部を設けており、スイッチボタンの軸部をケース内面側から軸支部に軸支させ、ケース開口からスイッチボタンの押込操作部が露出するような姿勢で固定して、スイッチボタンをケースに取り付けていた。
【０００３】
【特許文献１】実開昭６４−１０９３０号公報
【特許文献２】実開平５−６５０２９号公報
【発明の開示】
【発明が解決しようとする課題】
【０００４】
一般的に、電気機器は、上述の如くしてスイッチボタンが取り付けられたものが製品として、ユーザー等に販売されることになる。ここで、当該販売時や設置時等に、ユーザーの変更要求によりスイッチボタンが不要となり、スイッチボタンの取り外しが望まれる場合がある。しかしながら、上記スイッチボタン取付構造では、組み立て状態にあるケースや基板等を一々分解し、ケース内面側からスイッチボタンを取り外した後、再びケースや基板等を組み立てる必要があるため、手間がかかる。また、スイッチボタンを一旦取り外した後に、再び取り付ける必要が生じた際にも同様の手間がかかる等、スイッチボタンの着脱作業が非常に煩わしいという問題がある。
【０００５】
そこで、本発明は、上記問題に鑑みなされたものであって、ケース等を分解したりすることなく、スイッチボタンをケースへ容易に着脱可能なスイッチボタン取付構造を提供しようとするものである。
【課題を解決するための手段】
【０００６】
上記目的を達成するために、本発明のうち請求項１に記載の発明は、スイッチ回路をＯＮ／ＯＦＦ操作するために左右方向を軸として押込操作されるスイッチボタンを、電子機器のケース前面に取り付けるためのスイッチボタン取付構造であって、スイッチボタンに、押込操作するための押圧部と、押圧部の上下左右面に沿って周設されたフランジ部と、フランジ部の上面よりも上方へ突出した位置から夫々左右外方向へ突出した軸部とを設ける一方、ケースに、押圧部を収容可能な開口部からなるスイッチボタン収容部を設けるとともに、スイッチ収容部の左右両側縁上部に、軸部を軸支する軸支部と、ケース前面で軸支部よりも上方となる位置に開口し、軸支部へ連通するＬ字状のスリットとを設け、ケース前面に対して起立した姿勢にあるスイッチボタンの軸部を、ケースの前面側からスリットへ挿入し、スリットに沿って下方へスライドさせて軸支部に軸支させた後、スイッチボタンを押込操作方向へ回動させて、スイッチボタンをスイッチボタン収容部に収容することで、スイッチボタンをケースに取り付け可能とするとともに、スイッチボタン収容部の上縁部から下方へ一体的に突設され、収容状態にあるスイッチボタンのフランジ部の後面が当接する支持リブと、支持リブの前面に一体的に突設され、収容状態にあるスイッチボタンの上面に当接して、軸部の軸支部からの上方への移動を阻止する阻止リブと、支持リブから更に下方へ一体的に突設され、押込操作されたスイッチボタンを反押込操作方向へ押圧する押し上げリブとを設けたことを特徴とするものである。
この構成によれば、基台へ組み付け状態にあるケースを一々取り外したり等することなくスイッチボタンを着脱することができ、スイッチボタンの着脱に係る工数の低減、すなわち着脱作業の簡易化を図ることができる。また、阻止リブにより軸部が軸支部から抜ける方向へのスイッチボタンの移動が阻止されているため、軸支部において軸部を確実に軸支することができ、押込操作時にスイッチボタンにガタが生じたりしない。さらに、阻止リブや押し上げリブ、支持リブをケースと一体的に設けているため、部品点数を削減することができ、構成の簡素化を図ることができる。
【発明の効果】
【０００８】
本発明によれば、スイッチボタンに、押込操作するための押圧部と、押圧部の上下左右面に沿って周設されたフランジ部と、フランジ部の上面よりも上方へ突出した位置から夫々左右外方向へ突出した軸部とを設ける一方、ケースに、押圧部を収容可能な開口部からなるスイッチボタン収容部を設けるとともに、スイッチ収容部の左右両側縁上部に、軸部を軸支する軸支部と、ケース前面で軸支部よりも上方となる位置に開口し、軸支部へ連通するＬ字状のスリットとを設け、ケース前面に対して起立した姿勢にあるスイッチボタンの軸部を、ケースの前面側からスリットへ挿入し、スリットに沿って下方へスライドさせて軸支部に軸支させた後、スイッチボタンを押込操作方向へ回動させて、スイッチボタンをスイッチボタン収容部に収容することで、スイッチボタンをケースに取り付け可能としている。したがって、基台へ組み付け状態にあるケースを一々取り外したり等することなくスイッチボタンを着脱することができ、スイッチボタンの着脱に係る工数の低減、すなわち着脱作業の簡易化を図ることができる。
また、収容状態にあるスイッチボタンの上面に当接して、軸部の軸支部からの上方への移動を阻止する阻止リブを設けているため、軸支部において軸部を確実に軸支することができ、押込操作時にスイッチボタンにガタが生じたりしない。
さらに、支持リブ、阻止リブ、及び押し上げリブをケースと一体的に設けているため、部品点数を削減することができ、構成の簡素化を図ることができる。
【発明を実施するための最良の形態】
【０００９】
以下、本発明の一実施形態となるスイッチボタン取付構造について、図面をもとに説明する。尚、本実施形態では、スイッチボタンが取り付けられる電子機器をインターホン親機（以下、単に親機と称す）とし、該親機におけるスイッチボタン取付構造について説明する。
【００１０】
図１は、親機１を正面から示した説明図であり、図２は、スイッチボタン２が取り付けられた状態にある親機１の前ケース３を正面から示した説明図である。また、図３は、スイッチボタン２が取り外された状態にある前ケース３の斜視説明図であり、図４は、図３における要部拡大説明図である。さらに、図５は、スイッチボタン２の説明図であり、（ａ）は正面図、（ｂ）は右側面図、（ｃ）は正面側を示した斜視説明図、（ｄ）は背面側を示した斜視説明図である。
【００１１】
親機１は、図示しない基台に前ケース３を組み付けてなるもので、住居の玄関等に設置される図示しない玄関子機との間で通話可能に構成されており、ハンドセット４、スピーカ５ａやマイク５ｂ等からなるハンズフリー通話部５、モニタ部６、及びスイッチボタン２を含む各種操作ボタン等が備えられている。
前ケース３は、後面に開口を有し、基台の前方を覆うように装着可能に構成された合成樹脂製のカバー体であって、中央稍上部には、基台内部に設置されるモニタを露出するための窓７が開設されている。また、窓７の下方で、基台内部に搭載される回路基板のスイッチ回路に対応する位置には、スイッチボタン２を押込操作可能に取り付けるためのスイッチボタン収容部８が設けられている。さらに、窓７の周縁（スイッチボタン収容部８も含む）には、スイッチボタン２の取り付け後、スイッチボタン収容部８を被覆して外的美観を向上するためのパネル９を装着可能な凹部１０が設けられている。
【００１２】
ここで、本発明の要部となるスイッチボタン収容部８及びスイッチボタン２について説明する。
スイッチボタン収容部８は、スイッチボタン２を収容すべく、スイッチボタン２と略同様の形状に開設された開口部となっており、スイッチボタン２の軸部１１を軸支するための軸支部１２、スイッチボタン２の収容後に軸部１１の軸支部１２からの移動を阻止するための阻止リブ１３、スイッチボタン２を反押込操作方向へ付勢する一対の押し上げリブ１４、１４、スイッチボタン２のスイッチボタン収容部８からの脱落を防止するための係止爪片１５等からなる。
【００１３】
軸支部１２は、スイッチボタン収容部８を構成する開口部の両側縁上部に設けられており、スイッチボタン２は、当該軸支部１２に軸支された軸部１１を中心として前後方向へ回動操作、すなわち押込操作可能となる。また、該軸支部１２へは、前ケース３前面で且つ軸支部１２よりも上方位置に開口するＬ字状のスリット１６が連通しており、軸部１１は、開口を介してスリット１６内へ挿入させた後、スリット１６に沿って下方へスライドさせることで軸支部１２へ導かれる。
阻止リブ１３は、正面視が門状となるリブ片であり、スイッチボタン収容部８を構成する開口部の上縁から下方（開口部内方）へ突設された支持リブ１７前面に突設されている。該阻止リブ１３は、スイッチボタン収容部８に収容されたスイッチボタン２の上面に当接して、スイッチボタン２の上方への移動、すなわち軸部１１がスリット１６に沿って軸支部１２から上方へ移動することを阻止し、軸部１１を軸支部１２にて軸支可能としている。
【００１４】
押し上げリブ１４は、支持リブ１７から更に下方へ一体的に突設されてなるもので、合成樹脂製の薄板状部として形成され、弾性を有している。また、押し上げリブ１４の先端（下端）部には、前方へ突出する突起部１４ａが設けられており、収容状態にあるスイッチボタン２が押込操作された際、該突起部１４ａがスイッチボタン２を反押込操作方向へ押圧し、押込操作前の初期位置へ復帰させるようになっている。
係止爪片１５は、スイッチボタン収容部８を構成する開口部の下縁中央部に一体的に設けられた合成樹脂製の爪片であり、スイッチボタン収容部８に収容状態にあるスイッチボタン２に係止してスイッチボタン収容部８から脱落を防止、特に上記押し上げリブ１４、１４によって初期位置へ復帰されるスイッチボタン２の初期位置を越えた反押込操作方向への回動を防止可能としている。尚、１８は、開口部内方へ突出する押込防止リブであり、係止爪片１５の左右両側に設けられている。
【００１５】
一方、スイッチボタン２は、ユーザー等が押込操作するための押圧部２１と、上記阻止リブ１３や押し上げリブ１４の突起部１４ａが当接するフランジ部２２とを一体的に有する合成樹脂製部材であって、押圧部２１は立体的に形成されており、フランジ部２２は該押圧部２１の後面周縁に周設されている。また、フランジ部２２の上部左右両端には、上記軸支部１２に軸支される軸部１１、１１がフランジ部２２上面よりも上方へ突出した位置から左右夫々外方へ突設されている。さらに、フランジ部２２の下部中央には、スイッチボタン収容部８の後方に配設されるスイッチ回路をＯＮ／ＯＦＦ操作するためのスイッチ用リブ２３が後方へ突設されているとともに、上記係止爪片１５が係止する被係止片２４がスイッチ用リブ２３から下方へ突設されている。
【００１６】
次に、上述の如き構成を有するスイッチボタン２のスイッチボタン収容部８への着脱について、図６をもとに説明する。図６は、スイッチボタン２を取り付ける様子を示した説明図である。
まず、スイッチボタン２を前ケース３前面に対して起立した姿勢（すなわち、スイッチボタン２下部を前方へ向けた姿勢）とし、前ケース３の前面側から開口を介して軸部１１、１１をスリット１６、１６内へ挿入する（図６（ａ））。このとき、軸部１１、１１が、フランジ部２２上面よりも上方へ突出して設けられているため、フランジ部２２の上面が阻止リブ１３等に接触する等して取付作業の邪魔となるようなことがない。
次に、該起立状態のままスイッチボタン２を下方へスライドさせ、軸部１１、１１を軸支部１２、１２に位置させる。その後、スイッチボタン２を押込操作方向へ回動させ、クリック作用により係止爪片１５が被係止片２４に係止すれば（図６（ｂ））、スイッチボタン２のスイッチボタン収容部８への収容、すなわちスイッチボタン２の取り付けは完了となる。
一方、スイッチボタン２を取り外す際には、係止爪片１５を撓ませて、被係止片２４との係止状態を解除とした後、スイッチボタン２を起立させ、スリット１６、１６から軸部１１、１１を抜き取ればよい。
【００１７】
そして、当該収容状態にあっては、阻止リブ１３の上面がフランジ部２２上面に当接しており、スイッチボタン２の上方への移動が阻止されるとともに、スイッチボタン２の軸部１１、１１を軸とした押込操作が可能となる。また、フランジ部２２の後面には、押し上げリブ１４の突起部１４ａや支持リブ１７等が当接しており、スイッチボタン２をスイッチボタン収容部８内で支持している。さらに、スイッチボタン２を押込操作すると、押し上げリブ１４、１４の弾性力によりスイッチボタン２は反押込操作方向へ付勢され、自然と押込操作前の初期位置へ復帰する。この時、初期位置にて係止爪片１５が被係止片２４に係止するため、スイッチボタン２の初期位置を越えた反押込操作方向への回動は防止される。加えて、所定の押し込み量を超えてスイッチボタン２を押込操作しようとすると、押込防止リブ１８がフランジ部２２の後面に当接し、スイッチボタン２の更なる押込操作が禁止される。
【００１８】
以上のような構成を有するスイッチボタン２及びスイッチボタン収容部８からなるスイッチボタン取付構造によれば、スイッチボタン２に、押込操作を可能とするため押込操作方向とは直交する左右方向へ突出した軸部１１、１１を設ける一方、前ケース３に、軸部１１、１１を軸支する軸支部１２、１２と、前ケース３前面に開口し、軸支部１２、１２へ連通するスリット１６、１６とを設け、スイッチボタン２を、その軸部１１、１１を前ケース３の前面側からスリット１６、１６を介して軸支部１２、１２に軸支させることで、前ケース３に取り付けることができる。また、係止爪片１５を撓ませて被係止片２４との係止状態を解除とした後、スイッチボタン２を起立させ、スリット１６、１６から軸部１１、１１を抜き取れば、スイッチボタン２を取り外すことができる。したがって、基台へ組み付け状態にある前ケース３を一々取り外したりすることなくスイッチボタン２を着脱することができ、スイッチボタン２の着脱に係る工数の低減、すなわち着脱作業の簡易化を図ることができる。
【００１９】
また、各スリット１６を、各軸支部１２よりも上方に開口するＬ字状に形成し、軸部１１をスリット１６に沿った下方へのスライドにより軸支部１２に軸支可能とするとともに、前ケース３に、軸支状態にあるスイッチボタン２のフランジ部２２上面に当接し、軸部１１の軸支部１２からの上方への移動を阻止する阻止リブ１３を設けている。したがって、軸支部１２と阻止リブ１３とにより軸部１１を確実に軸支することができ、押込操作時にスイッチボタン２にガタが生じたりしない。
さらに、阻止リブ１３や押し上げリブ１４、１４、支持リブ１７、押込防止リブ１８等の各構成要素を前ケース３と一体的に設けているため、部品点数を削減することができ、構成の簡素化を図ることができる。
【００２０】
なお、本発明に係るスイッチボタン取付構造に係る構成は、上記実施形態に記載の態様に何ら限定されるものではなく、スイッチボタンやスイッチボタン収容部の各構成要素、及びスイッチボタン取付構造を設ける対象等を、本発明の趣旨を逸脱しない範囲で、必要に応じて適宜変更することができる。
【００２１】
たとえば、スイッチボタン２の形状や前ケース３におけるスイッチボタン収容部８の設置位置等を適宜変更可能であることは言うまでもないし、一つの前ケース３に対して複数のスイッチボタン取付構造を設けることも可能である。
また、上記実施形態では、スイッチボタン取付構造を設ける対象となる電気機器を親機１としているが、インターホン子機や電気錠を施錠／解錠するための錠装置等、スイッチボタン２を有する電気機器であれば他の電気機器に当然適用することができる。
【図面の簡単な説明】
【００２２】
【図１】親機を正面から示した説明図である。
【図２】スイッチボタンが取り付けられた状態にある親機の前ケースを正面から示した説明図である。
【図３】スイッチボタンが取り外された状態にある前ケースの斜視説明図である。
【図４】図３における要部拡大説明図である。
【図５】スイッチボタンの説明図であり、（ａ）は正面図、（ｂ）は右側面図、（ｃ）は正面側を示した斜視説明図、（ｄ）は背面側を示した斜視説明図である。
【図６】スイッチボタンを取り付ける様子を示した説明図である。
【符号の説明】
【００２３】
１・・インターホン親機（電気機器）、２・・スイッチボタン、３・・前ケース（ケース）、８・・スイッチボタン収容部、１１・・軸部、１２・・軸支部、１３・・阻止リブ（阻止部）、１４・・押し上げリブ、１５・・係止爪片、１６・・スリット、１７・・支持リブ、１８・・押込防止リブ、２１・・押圧部、２２・・フランジ部、２３・・スイッチ用リブ、２４・・被係止片。
【図１】
0004955479.tif 000002
【図２】
0004955479.tif 000003
【図３】
0004955479.tif 000004
【図４】
0004955479.tif 000005
【図５】
0004955479.tif 000006
【図６】
0004955479.tif 000007